【手続補正書】
【提出日】平成27年5月18日(2015.5.18)
【手続補正１】
【補正対象書類名】明細書
【補正対象項目名】００７７
【補正方法】変更
【補正の内容】
【００７７】
作動フリーホイール６３のフリーホイールダイアモンド６７と切替えハウジング６４とをねじり弾性的に接続することには、クランピングローラ６４１を介して切替えハウジング６４によって生成される支持モーメントが、作動フリーホイール６３のフリーホイールダイアモンド６７へと、ねじり弾性によって徐々に伝達されるという利点がある。これにより、前記作動フリーホイール６３がロックすることにより、前記ペダルクランク軸２は、後方回転方向において、角度方向に運動することができるようになる。それと同時に、チェーンホイール１１が、前記ねじりばね１２をブロックすることで生じる可能な回転角度範囲内で、前方方向と逆方向に回転することができる。これにより、結果として表れる逃げ角は、バックペダルブレーキが作動するまでに補償（解消）されうる。
なお、本発明は、実施の態様として以下の内容を含む。
［態様１］
電動自転車、特に、電気モータ及び筋力によってハイブリッド方式で動作される電動アシスト自転車に用いられ、
−電動自転車のチェーン動力伝達機構のチェーンホイール（１１）に連結する中空シャフト（３）が取り付けられた駆動ハウジング（７）と、
−前記中空シャフト（３）と同心に配置されており、両側の端部でペダルクランク（２３，２４）に連結するペダルクランク軸（２）と、
−前記中空シャフト（３）と前記ペダルクランク軸（２）との間に配置されており、回転方向に応じてシフトされる第１のクラッチ（６１）と、
−出力部を有し、回転方向に応じてシフトされる第２のクラッチ（６２）を介して、前記出力部が前記中空シャフト（３）に接続される電気モータ（４）と、
を備えた駆動装置（１）であって、
前記中空シャフト（３）は、前記ペダルクランク軸（２）のいずれの回転方向においても、当該ペダルクランク軸（２）と結合可能であることを特徴とする、駆動装置。
［態様２］
態様１に記載の駆動装置において、バックペダルブレーキを作動させる装置が、前記ペダルクランク軸（２）と前記中空シャフト（３）との間に配置されており、前記バックペダルブレーキを作動させる装置は、回転方向に応じてシフトされる前記第１のクラッチ（６１）によって前記ペダルクランク軸（２）と前記中空シャフト（３）とが接続された場合にはフリー回転し、逆の回転方向では前記ペダルクランク軸（２）と前記中空シャフト（３）とを接続することを特徴とする、駆動装置。
［態様３］
態様１または２に記載の駆動装置において、前記電気モータ（４）が、電子制御装置（９）によって制御可能であり、この電子制御装置（９）は、前記ペダルクランク軸（２）の回転速度を検出するセンサ（９１）、回転方向を検出するセンサ（９１）およびねじりモーメントを検出するセンサ（９１）と接続しており、前記ペダルクランク軸（２）の回転方向が前記電動自転車の前方走行方向と逆の回転方向である場合、および／または前記ペダルクランク軸（２）のねじりモーメントが前記電動自転車の前方走行方向のときと比べて逆である場合、前記電気モータをオフにすることを特徴とする、駆動装置。
［態様４］
態様２に記載の駆動装置において、前記バックペダルブレーキを作動させる装置が、クランピングローラ型フリーホイールで構成されており、このクランピングローラ型フリーホイールは、前記ペダルクランク軸（２）に回転固定で結合したフリーホイールケージ（６５）、溝にクランピングローラ（６４１）が配置された切替えハウジング（６４）、および外表面が前記ハウジング（７）に回転固定で結合した作動フリーホイール（６３）の切替え要素（６６）を含み、当該切替え要素（６６）は、前記切替えハウジング（６４）と接続しており、さらに、前記ペダルクランク軸（２）と同心に配置されて且つ当該ペダルクランク軸（２）に対して自由に運動可能であることを特徴とする、駆動装置。
［態様５］
態様４に記載の駆動装置において、前記切替え要素（６６）が、前記切替えハウジング（６４）に対して周方向にねじり弾性的に接続していることを特徴とする、駆動装置。
［態様６］
態様５に記載の駆動装置において、前記切替え要素（６６）が、前記ペダルクランク軸（２）に取り付けられた円筒形状のねじりばね又は渦巻きばね（１２）の一端に接続しており、かつ、前記切替えハウジング（６４）が、前記円筒形状のねじりばね又は渦巻きばね（１２）の他端に接続されていることを特徴とする、駆動装置。
［態様７］
態様１から６のいずれか一態様に記載の駆動装置において、前記電気モータ（４）のモータ軸（４０）が、ギア機構（５）および回転方向に応じてシフトされる前記第２のクラッチ（６２）を介して前記中空シャフト（３）に接続することを特徴とする、駆動装置。
［態様８］
態様１から７のいずれか一態様に記載の駆動装置において、前記ギア機構（５）が、異種のギアを含む複数段減速機で構成されることを特徴とする、駆動装置。
［態様９］
態様８に記載の駆動装置において、前記複数段減速機が、二段平歯車機構として形成されており、この二段平歯車機構は、前記モータ軸（４０）に結合したピニオン、二重歯車（５１）のうちの前記ピニオンに結合する大径側の平歯車、および前記二重歯車（５１）の小径側の平歯車に結合する出力平歯車（５２）を含み、さらに、当該出力平歯車（５２）が、前記中空シャフト（３）に対して同心で接続することを特徴とする、駆動装置。
［態様１０］
態様１から９のいずれか一態様に記載の駆動装置において、前記電気モータ（４）を制御する前記電子制御装置（９）に、前記電動自転車の速度を検出するセンサの出力信号が供給されることを特徴とする、駆動装置。
［態様１１］
態様１から１０のいずれか一態様に記載の駆動装置において、前記ペダルクランク（２３，２４）を介して印加されたねじりモーメントが、別個に検出されて前記電子制御装置（９）に供給され、当該電子制御装置（９）が、前記ペダルクランク（２３，２４）を介して印加された前記ねじりモーメントを合計することを特徴とする、駆動装置。
［態様１２］
態様１から１０のいずれか一態様に記載の駆動装置において、回転方向に応じてシフトされる前記第１のクラッチ（６１）と前記チェーンホイール（１１）との間における前記中空シャフト（３）のねじり角が測定されて、前記ペダルクランク（２３，２４）を介して印加されたねじりモーメントを検出することを特徴とする、駆動装置。
［態様１３］
態様１から１０のいずれか一態様に記載の駆動装置において、前記電気モータ（４）によるねじりモーメントが印加された状態で、回転方向に応じてシフトされる前記第１のクラッチ（６１）と回転方向に応じてシフトされる前記第２のクラッチ（６２）との間における前記中空シャフト（３）のねじり角が検出されて、前記ペダルクランク（２３，２４）を介して印加されたねじりモーメントを検出することを特徴とする、駆動装置。
［態様１４］
態様１から１３のいずれか一態様に記載の駆動装置において、前記電子制御装置（９）が、前記ペダルクランク軸（２）を介したねじりモーメントの印加がない状態で前記電動自転車が所定の速度を超えた場合に、電気モータ（４）をオフにすることを特徴とする、駆動装置。
［態様１５］
態様１から１４のいずれか一態様に記載の駆動装置において、回転方向に応じてシフトされる前記第１のクラッチ（６１）によって前記ペダルクランク軸（２）が前記中空シャフト（３）から切り離されると、前記電子制御装置（９）が、前記電気モータ（４）の回転数を再調節してねじりモーメントを再調節することを特徴とする、駆動装置。
［態様１６］
態様１５に記載の駆動装置において、前記ペダルクランク軸（２）を介して印加されるねじりモーメントと前記電気モータ（４）によるねじりモーメントとの間での動力の分配の度合いが、前記電動自転車の操作部を介して調節可能であることを特徴とする、駆動装置。
［態様１７］
態様１から１６のいずれか一態様に記載の駆動装置において、回転方向に応じてシフトされる前記第１および第２のクラッチ（６１，６２）が、クランピングローラ型フリーホイールで構成されており、前記クランピングローラ型フリーホイールは、内輪、外輪、および当該内輪と外輪との間に配置されたクランピング体を含み、さらに、当該内輪または外輪が、当該内輪または外輪の回転方向に応じて、これら内輪と外輪とを結合する傾斜面を有することを特徴とする、駆動装置。
［態様１８］
態様１から１７のいずれか一態様に記載の駆動装置において、前記電動自転車が、Ｅ−ｂｉｋｅまたは電動アシスト自転車で構成され、前記電子制御装置（９）が、前記ペダルクランク軸（２）に対して反作用を生じないように電動駆動部を制御することを特徴とする、駆動装置。
［態様１９］
態様１から１８のいずれか一態様に記載の駆動装置において、前記中空シャフト（３）が、チェーンホイールフランジ（１０）と結合しており、このチェーンホイールフランジ（１０）は、前記チェーンホイール（１１）、またはチェーンホイール変速機に接続した複数のチェーンホイールと連結可能であることを特徴とする、駆動装置。